(57)【要約】【課題】環形蛍光ランプの代替品として用いることが可能であり、かつ効率よく製造可能なＬＥＤランプを提供すること。【解決手段】それぞれがＬＥＤチップを有する複数のＬＥＤモジュール３と、複数のＬＥＤモジュール３が実装された基板１と、を備えるＬＥＤランプであって、基板１は、環状であり、複数のＬＥＤモジュール３は、それぞれの実装方向Ｎが方向ｙに一致するように実装されている。【選択図】  図１
2009289771.tif 000002
【特許請求の範囲】
【請求項１】
それぞれがＬＥＤチップを有する複数のＬＥＤモジュールと、
上記複数のＬＥＤモジュールが実装された基板と、
を備えるＬＥＤランプであって、
上記基板は、環状であり、
上記複数のＬＥＤモジュールは、それぞれの実装方向が互いに直角である２方向のいずれかに一致するように実装されていることを特徴とする、ＬＥＤランプ。
【請求項２】
上記複数のＬＥＤモジュールは、それぞれの実装方向がすべて一致している、請求項１に記載のＬＥＤランプ。
【発明の詳細な説明】
【技術分野】
【０００１】
本発明は、発光ダイオード（以下、ＬＥＤ）を光源とし、特に蛍光灯の代替として用いることができるＬＥＤランプに関する。
【背景技術】
【０００２】
図４は、従来のＬＥＤランプの一例を断面図で示している（たとえば特許文献１参照）。同図に示されたＬＥＤランプＸは、長矩形状の基板９１と、基板９１上に搭載された複数のＬＥＤ９２と、基板９１を収容する管９３と、端子９４と、を備えている。基板９には、複数のＬＥＤ９２および端子９４に接続される図示しない配線パターンが形成されている。このＬＥＤランプＸは、端子９４を一般用蛍光灯照明器具のソケットの差込口に嵌合させることにより、複数のＬＥＤ９２を発光させることができるように構成されており、直管形蛍光ランプの代替品として使用可能である。
【０００３】
しかしながら、一般的に用いられている蛍光灯には、直管形のもののほかに、環形のものがある。この環形蛍光ランプの代替品としてのＬＥＤランプの場合、複数のＬＥＤ９２を環状に配置する必要がある。複数のＬＥＤ９２を環状に配置することは、ＬＥＤランプＸの製造におけるように複数のＬＥＤ９２を直列に配置することと比べて配置作業が煩雑となりやすい。これにより、製造効率が低下すること、あるいは高機能な配置装置を用意することが強いられることなどが懸念される。
【０００４】
【特許文献１】実開平６−５４１０３号公報
【発明の開示】
【発明が解決しようとする課題】
【０００５】
本発明は、上記した事情のもとで考え出されたものであって、環形蛍光ランプの代替品として用いることが可能であり、かつ効率よく製造可能なＬＥＤランプを提供することをその課題とする。
【課題を解決するための手段】
【０００６】
本発明によって提供されるＬＥＤランプは、それぞれがＬＥＤチップを有する複数のＬＥＤモジュールと、上記複数のＬＥＤモジュールが実装された基板と、を備えるＬＥＤランプであって、上記基板は、環状であり、上記複数のＬＥＤモジュールは、それぞれの実装方向が互いに直角である２方向のいずれかに一致するように実装されていることを特徴としている。
【０００７】
本発明の好ましい実施の形態においては、上記複数のＬＥＤモジュールは、それぞれの実装方向がすべて一致している。
【０００８】
このような構成によれば、上記ＬＥＤランプの製造工程において、上記ＬＥＤモジュールを保持、搬送、載置する機能を有するいわゆるマウンタを用いて上記複数のＬＥＤモジュールの配置作業を行う際に、上記マウンタの保持アームの姿勢を最大で２方向に沿わせればよい。これは、上記複数のＬＥＤモジュールの配置作業、ひいては上記ＬＥＤランプの製造効率を高めるのに適している。
【０００９】
本発明のその他の特徴および利点は、添付図面を参照して以下に行う詳細な説明によって、より明らかとなろう。
【発明を実施するための最良の形態】
【００１０】
以下、本発明の好ましい実施の形態につき、図面を参照して具体的に説明する。
【００１１】
図１および図２は、本発明に係るＬＥＤランプの第１実施形態を示している。本実施形態のＬＥＤランプＡ１は、基板１、放熱部材２、複数のＬＥＤモジュール３、および拡散透過カバー６を備えている。なお、図１においては、理解の便宜上、拡散透過カバー６を省略している。
【００１２】
基板１は、たとえばガラスエポキシ製であり、環形状に形成されている。本実施形態においては、基板１は、４つの分割基板１０によって形成されている。分割基板１０は、対角線方向に並べられた複数の矩形状部が互いに連結されたような形状とされている。各矩形状部には、ＬＥＤモジュール３が実装されている。
【００１３】
図２に示すように、基板１は、表面側に形成され互いに離間する金属配線層１１，１２、裏面側に形成された金属層１３、スルーホール１４、スルーホール１４の内面を覆う金属層１５、および、金属配線層１１，１２を覆う保護層１６を備えている。金属層１５は金属配線層１１と金属層１３とを導通させるように形成されている。金属配線層１１，１２および金属層１３，１５は、たとえばＣｕによって形成されている。なお、本実施形態とは異なり、基板１は、たとえばＡｌからなる基材に絶縁膜および金属配線層を積層させた構造であってもよい。
【００１４】
複数のＬＥＤモジュール３は、基板１に環状に実装されている。図１の一点鎖線は、ＬＥＤモジュール３の実装方向Ｎを表している。実装方向Ｎは、たとえば長矩形状とされたＬＥＤモジュールの場合、その長手方向に相当する。複数のＬＥＤモジュール３は、実装方向Ｎがいずれも方向ｙと一致している。ＬＥＤランプＡ１の製造においては、たとえばＬＥＤモジュール３の保持、搬送、および載置を行う機能を有するマウンタと称される装置によってＬＥＤモジュール３が配置される。このとき、上記マウンタのたとえば保持アームの基準線を実装方向Ｎに一致させた状態で配置作業を行う。
【００１５】
図２に示すようにＬＥＤモジュール３は、ＬＥＤ３１、互いに離間する金属製のリード３２，３３、ワイヤ３４、および、樹脂パッケージ３５を備えている。ＬＥＤ３１は、たとえばｎ型半導体層およびｐ型半導体層と、これらに挟まれた活性層とが積層された構造とされている。ＬＥＤ３１は、たとえばＧａＮ系半導体からなる場合、青色光を発光可能である。ＬＥＤ３１は、リード３２に搭載されている。さらに、ＬＥＤ３１の上面は、ワイヤ３４を介してリード３３に接続されている。リード３２は金属配線層１１に接続されており、リード３３は金属配線層１２に接続されている。
【００１６】
樹脂パッケージ３５は、ＬＥＤ３１およびワイヤ３４を保護するためのものである。樹脂パッケージ３５は、ＬＥＤ３１からの光に対して透光性を有するたとえばエポキシ樹脂を用いて形成されている。また、樹脂パッケージ３５に、青色光によって励起されることにより黄色光を発する蛍光材料を混入すれば、ＬＥＤモジュール３から白色光を出射させることが可能となる。
【００１７】
放熱部材２は、たとえばＡｌによって形成されており、金属層１１，１３，１５を介してＬＥＤモジュール３からの熱が伝えられる。この熱は、放熱部材２の表面から放出される。
【００１８】
拡散透過カバー６は、たとえば乳白色の半透明樹脂からなり基板１の表面および複数のＬＥＤモジュール３を覆っている。複数のＬＥＤモジュール３からの光は、拡散透過カバー６を透過することにより様々な方向に向けて出射される。これにより、ＬＥＤランプＡ１は、比較的均一に照射可能とされている。
【００１９】
次に、ＬＥＤランプＡ１の作用について説明する。
【００２０】
たとえば本実施形態と異なり、複数のＬＥＤモジュール３を、実装方向Ｎが放射状となるように配置する場合、上記マウンタの上記保持アームの姿勢を都度微調整しながら配置作業を行うことが強いられる。あるいは、このような微調整が可能な比較的高機能なマウンタを用意する必要がある。本実施形態によれば、上記保持アームの姿勢を変えることなく、一定方向のまま作業を行うことができる。したがって、複数のＬＥＤモジュール３の配置作業を容易に行うことが可能であり、ＬＥＤランプＡ１の製造効率を高めることができる。
【００２１】
図３は、本発明の第２実施形態を示している。なお、本図において、上記実施形態と同一または類似の要素には、上記実施形態と同一の符号を付している。また、本図においては、図１と同様に拡散透過カバー６を省略している。
【００２２】
本実施形態のＬＥＤランプＡ２は、複数のＬＥＤモジュール３の配置が上述した実施形態と異なっている。本実施形態においては、複数のＬＥＤモジュール３の実装方向Ｎが、互いに直角である方向ｘおよび方向ｙのいずれかに一致している。具体的には、図中上方寄りおよび下方寄りに配置されたＬＥＤモジュール３の実装方向Ｎは、方向ｙと一致している。一方、左方寄りおよび右方寄りに配置されたＬＥＤモジュール３の実装方向Ｎは、方向ｘと一致している。
【００２３】
このような実施形態によれば、複数のＬＥＤモジュール３の配置作業においては、上記マウンタの上記保持アームを、その基準線を方向ｘおよび方向ｙのいずれかに一致させればよい。方向ｘおよび方向ｙは互いに直角な２方向であるため、上記保持アームの姿勢制御機構を比較的簡便なものとすることが可能である。したがって、上記マウンタの構造が不当に複雑化することを回避することが可能である。また、複数のＬＥＤモジュール３が、それらの実装方向Ｎが放射状である場合と比べて効率よく配置作業を行うことができる。
【００２４】
本発明に係るＬＥＤランプは、上述した実施形態に限定されるものではない。本発明に係るＬＥＤランプの各部の具体的な構成は、種々に設計変更自在である。
【００２５】
基板１は、ＬＥＤランプＡ１，Ａ２を環形蛍光ランプの代替品として用いることを実現可能な形状であればよく、たとえばリング状であってもよい。また、基板１は、分割構造であることに限定されず、一体構造であってもよい。
【図面の簡単な説明】
【００２６】
【図１】本発明に係るＬＥＤランプの第１実施形態を示す要部平面図である。
【図２】図１のＩＩ−ＩＩ線に沿う要部断面図である。
【図３】本発明に係るＬＥＤランプの第２実施形態を示す要部平面図である。
【図４】従来のＬＥＤランプの一例を示す断面図である。
【符号の説明】
【００２７】
Ａ１，Ａ２  ＬＥＤランプ
Ｎ      実装方向
１      基板
２      放熱部材
３      ＬＥＤモジュール
６      拡散透過カバー
１０    分割基板
１１，１２  金属配線層
１３，１５  金属層
１４    スルーホール
１６    保護層
３１    ＬＥＤチップ
３２，３３  リード
３４    ワイヤ
３５    樹脂パッケージ
【図１】
2009289771.tif 000003
【図２】
2009289771.tif 000004
【図３】
2009289771.tif 000005
【図４】
2009289771.tif 000006